(57)【要約】【課題】  隣接するチャネルの干渉波の影響を受けることを防ぎ、希望波が正常に復調出来るＡＧＣを行うデジタル無線受信器、および復調回路と復調方法を提供する。【解決手段】  デジタル無線受信器の復調回路Ｄは、Ａ／Ｄ４の入力を一定にする為のレベル検波器９とＩＦＡＧＣアンプ３、および復調ベースバンド信号の出力を一定にする為のレベル検波器７とＢＢＡＧＣアンプとの２段階でＡＧＣを行うことにより干渉波の影響を受けることなく信号を適正に復調する処理を行う。【選択図】  図２
2006229765.tif 000002
【特許請求の範囲】
【請求項１】
アンテナから受信する多値変調された信号の電波を周波数変換したＩＦ信号にして復調するデジタル無線受信器において、
アンテナから受信する電波をＩＦ信号に変換して出力する周波数変換部と、
前記ＩＦ信号が入力され、第１のＡＧＣ信号により利得が調整されて前記入力されるＩＦ信号を増幅して出力する第１のＡＧＣアンプと、前記出力されるＩＦ信号を所定の帯域幅で通過して出力するフィルタと、前記フィルタの出力が入力され、デジタルＩＦ信号に変換して出力するＡ／Ｄ変換部と、前記フィルタの出力のＩＦ信号のレベルから前記第１のＡＧＣ信号を生成して前記第１のＡＧＣアンプに出力する第１のレベル検波器と、前記デジタルＩＦ信号が入力され、前記所定の帯域幅のロールオフフィルタを有して多値変調された信号の復調を行う復調部と、前記復調される信号が入力され、第２のＡＧＣ信号により利得が調整されて前記入力される復調された信号を増幅して出力する第２のＡＧＣアンプと、前記第２のＡＧＣアンプの出力信号が入力され、符号変換することにより復調ベースバンド信号を生成して出力する符号変換部と、前記復調ベースバンド信号が入力され、前記復調ベースバンド信号から前記第２のＡＧＣ信号を生成して前記第２のＡＧＣアンプに出力する第２のレベル検波器とを備える復調回路とを
具備することを特徴とするデジタル無線受信器。
【請求項２】
前記受信器は、デジタルテレビ放送の番組放送信号を中継する無線リンクの受信器であることを特徴とする請求項１に記載のデジタル無線受信器。
【請求項３】
アンテナから受信した多値変調された信号の電波を周波数変換したＩＦ信号にして復調するデジタル無線受信器の復調回路において、
前記ＩＦ信号が入力され、第１のＡＧＣ信号により利得が調整されて前記入力されるＩＦ信号を増幅して出力する第１のＡＧＣアンプと、
前記出力されるＩＦ信号を所定の帯域幅で通過して出力するフィルタと、
前記フィルタの出力が入力され、デジタルＩＦ信号に変換して出力するＡ／Ｄ変換部と、
前記フィルタの出力のＩＦ信号のレベルから前記第１のＡＧＣ信号を生成して前記第１のＡＧＣアンプに出力する第１のレベル検波器と、
前記デジタルＩＦ信号が入力され、前記所定の帯域幅のロールオフフィルタを有して多値変調された信号の復調を行う復調部と、
前記復調される信号が入力され、第２のＡＧＣ信号により利得が調整されて前記入力される復調された信号を増幅して出力する第２のＡＧＣアンプと、
前記第２のＡＧＣアンプの出力信号が入力され、符号変換することにより復調ベースバンド信号を生成して出力する符号変換部と、
前記復調ベースバンド信号が入力され、前記復調ベースバンド信号から前記第２のＡＧＣ信号を生成して前記第２のＡＧＣアンプに出力する第２のレベル検波器とを
具備することを特徴とするデジタル無線受信器の復調回路。
【請求項４】
前記フィルタは、前記第１のＡＧＣアンプに組み込まれていることを特徴とする請求項３に記載のデジタル無線受信器の復調回路。
【請求項５】
前記Ａ／Ｄ変換部は、前記復調部に組み込まれている事を特徴とする請求項３に記載のデジタル無線受信器のデジタル無線受信器の復調回路。
【請求項６】
前記受信器は、デジタルテレビ放送の番組放送信号を中継する無線リンクの受信器であることを特徴とする請求項３に記載のデジタル無線受信器の復調回路。
【請求項７】
アンテナから受信する多値変調された信号の電波を周波数変換したＩＦ信号にして復調するデジタル無線受信器の復調回路の復調方法において、
前記デジタル無線受信器の前記復調回路は、
第１のＡＧＣアンプと、フィルタと、Ａ／Ｄ変換部と、第１のレベル検波器と、復調部と、符号変換部と、第２のＡＧＣ信号アンプと、第２のレベル検波器とを備える復調回路を具備し、
前記第１のＡＧＣアンプは前記ＩＦ信号が入力され、第１のＡＧＣ信号により利得が調整されて前記入力されるＩＦ信号を増幅して出力し、
前記ＩＦ信号が入力される前記フィルタは、前記入力されるＩＦ信号を所定の帯域幅で通過して出力し、
前記フィルタの出力が入力される前記Ａ／Ｄ変換部は、前記フィルタから入力されるＩＦ信号をデジタルＩＦ信号に変換して出力し、
前記フィルタの出力のＩＦ信号が入力される前記第１のレベル検波器は、前記フィルタの出力のＩＦ信号のレベルから前記第１のＡＧＣ信号を生成して前記第１のＡＧＣアンプに出力し、
前記デジタルＩＦ信号が入力される前記復調部は、内蔵する前記所定の帯域幅のロールオフフィルタを通過して多値変調された前記デジタルＩＦ信号の復調を行い出力し、
前記復調された信号が入力される第２のＡＧＣアンプは、前記第２のレベル検波器から入力される第２のＡＧＣ信号により利得が調整されて前記入力される復調された信号を増幅して出力し、
前記第２のＡＧＣアンプの出力信号が入力される前記符号変換部は、前記入力された復調信号を符号変換することにより復調ベースバンド信号を生成して出力し、
前記復調ベースバンド信号が入力される第２のレベル検波器は、前記復調ベースバンド信号から前記第２のＡＧＣ信号を生成して前記第２のＡＧＣアンプに出力することを特徴とするデジタル無線受信器の復調方法。
【発明の詳細な説明】
【技術分野】
【０００１】
本発明は、デジタルテレビ放送番組のＳＴＬ／ＴＴＬのデジタル無線受信器、復調回路およびその復調方法に関する。
【背景技術】
【０００２】
テレビ放送のデジタル化が進むに伴い、スタジオから送信所へデジタルテレビ放送の番組信号ＴＳ（Ｔｒａｎｓｐｏｒｔ  Ｓｔｒｅａｍ）信号を中継するＳＴＬ（Ｓｔｕｄｉｏ  ｔｏ  Ｔｒａｎｓｍｉｔｔｅｒ  Ｌｉｎｋ）／ＴＴＬ（Ｔｒａｎｓｍｉｔｔｅｒ  ｔｏ  Ｔｒａｎｓｍｉｔｔｅｒ  Ｌｉｎｋ）リンクは、従来のアナログ放送に比べて広帯域の信号を伝送するにも拘わらず、限られた周波数資源を有効に利用するため、隣接するチャネルは９ＭＨｚと余裕が小さい。また、１つの使用中のＳＴＬ／ＴＴＬの隣接チャネルが用いられる場合が多いので異なったリンク間での電波干渉に対する対策がより重要となっている。
【０００３】
デジタルテレビの受信器では、隣接するチャネルからの干渉電波をフィルタで除去するほか、受信電波を安定に動作するためにＡＧＣ（自動利得調整）処理が行われる（例えば、特許文献１参照。）。
【０００４】
ＳＴＬ／ＴＴＬリンクのデジタル無線受信器は、アンテナから受信した電波を増幅、周波数変換してＩＦ信号にして復調回路へ出力する。そしてＩＦ信号は、復調回路によりベースバンドビデオ信号に復調され、スタジオ機器、または更に他の中継送信器等へ出力される。
【０００５】
図４は従来のＳＴＬ／ＴＴＬリンクのデジタル無線受信器における復調回路の構成と動作を説明する機能ブロック図である。  
図４において、復調回路は、ＡＧＣアンプ１０、所要のバンドパス特性を持つフィルタ２０、アンプ３０、Ａ／Ｄ（アナログ・デジタル変換器、以下Ａ／Ｄと略す。）４０、ロールオフフィルタを備える多値復調部（以下ＤＥＭと称する。）５０、符号判定部６０と、レベル検波器７０とを備える。
【０００６】
復調回路のＡＧＣアンプ１０にはＩＦ（中間周波）信号が入力され、レベル検波器７０からのＡＧＣ信号により利得が自動調整されるためのＡＧＣ信号がフィードバック入力され、復調回路から復調ベースバンド信号が所定のレベルで出力される。
【０００７】
図５は、従来の復調回路における信号の波形を示す。  
図５（ａ）は、フィルタ２０の入力におけるＩＦ信号の希望波Ｄと干渉波Ｕを示す。ここでは、例えば、希望波Ｄが送信される送信器（図示せず）のアンテナと受信器のアンテナ（図示せず）が構成する無線リンク間で降雨による減衰が発生する一方、隣接周波数で運用する他のリンクから干渉波Ｄが当該受信器のアンテナへ入力しているとする。
【０００８】
そして、正常時には、希望波Ｄの振幅は、干渉波Ｕよりも大きいが、上記のような異常時には希望波Ｄよりも干渉波Ｕの振幅の方が大きい場合が生じることもある。
【０００９】
この様な場合、フィルタ２０の出力では、ＩＦ信号の干渉波Ｄの帯域外の信号成分は減少するもののピーク値は、希望波Ｄのピークよりも高い状態になる（図５（ｂ）参照）。ＩＦ信号のフィルタ２０の出力はアンプ３０を介してＡ／Ｄ４０へ入力される。Ａ／Ｄ４０でデジタル変換されたＩＦ信号は、更にＤＥＭ５０へ入力され、そこでＲＯＦ（Ｒｏｌｌ  ｏｆｆ  Ｆｉｌｔｅｒ）により干渉波Ｕの成分は完全に除去されるのでＤＥＭ５０の出力における復調信号（ＩＦ信号）は、概念的には図５（ｃ）のようになる。
【００１０】
そして、ＩＦ信号は、符号判定部６０へ出力され、符号判定部では入力された信号の符号判定を行いベースバンド信号に復調して出力する。この出力信号は、レベル検波器７０に入力され、レベル検波器７０は、復調されたベースバンド信号の希望波Ｄの振幅が一定になるようにＡＧＣ信号を生成してアンプ１０へ出力する（図５（ｄ）参照）。
【００１１】
ところが、上記の、希望波Ｄの振幅が干渉波Ｕよりも低い異常時には、希望波Ｄの振幅が一定になるようにＡＧＣ動作を行うので、Ａ／Ｄ４０の入力ではレベル制御が行われない干渉波Ｕの振幅が更に大きくなる場合もある。そして最悪の場合には、図５（ｅ）の様にＡ／Ｄ４０への入力が飽和レベル以上になってしまい正確に希望波Ｄの信号を復調できなくなってしまう問題があった。
【特許文献１】特開２００４−５６１９４号公報  （第６頁、第１図）
【発明の開示】
【発明が解決しようとする課題】
【００１２】
従来のデジタル放送の中継リンクの受信器では、隣接するチャネルの干渉波の振幅が希望波の振幅よりも大きく受信される場合、ＡＧＣが適切に動作せず、希望波を正常に受信して復調出来ないことが生じる問題があった。
【００１３】
本発明は上記問題を解決するためになされたもので、隣接するチャネルの干渉波の影響を受けることを防ぎ、希望波が正常に復調出来るＡＧＣを行う受信器、および復調回路とＡＧＣ方法を提供することを目的とする。
【課題を解決するための手段】
【００１４】
上記目的を達成するために、本発明の受信器は、アンテナから受信する多値変調された信号の電波を周波数変換したＩＦ信号にして復調するデジタル無線受信器において、アンテナと、アンテナから受信する電波をＩＦ信号に変換して出力する周波数変換部と、前記ＩＦ信号が入力され、第１のＡＧＣ信号により利得が調整されて前記入力されるＩＦ信号を増幅して出力する第１のＡＧＣアンプと、前記出力されるＩＦ信号を所定の帯域幅で通過して出力するフィルタと、前記フィルタの出力が入力され、デジタルＩＦ信号に変換して出力するＡ／Ｄ変換部と、前記フィルタの出力のＩＦ信号のレベルから前記第１のＡＧＣ信号を生成して前記第１のＡＧＣアンプに出力する第１のレベル検波器と、前記デジタルＩＦ信号が入力され、前記所定の帯域幅のロールオフフィルタを有して多値変調された信号の復調を行う復調部と、前記復調される信号が入力され、第２のＡＧＣ信号により利得が調整されて前記入力される復調された信号を増幅して出力する第２のＡＧＣアンプと、前記第２のＡＧＣアンプの出力信号が入力され、符号変換することにより復調ベースバンド信号を生成して出力する符号変換部と、前記復調ベースバンド信号が入力され、前記復調ベースバンド信号から前記第２のＡＧＣ信号を生成して前記第２のＡＧＣアンプに出力する第２のレベル検波器とを備える復調回路とを具備することを特徴とする。
【００１５】
また本発明の復調回路は、アンテナから受信した多値変調された信号の電波を周波数変換したＩＦ信号にして復調するデジタル無線受信器の復調回路において、前記ＩＦ信号が入力され、第１のＡＧＣ信号により利得が調整されて前記入力されるＩＦ信号を増幅して出力する第１のＡＧＣアンプと、前記出力されるＩＦ信号を所定の帯域幅で通過して出力するフィルタと、前記フィルタの出力が入力され、デジタルＩＦ信号に変換して出力するＡ／Ｄ変換部と、前記フィルタの出力のＩＦ信号のレベルから前記第１のＡＧＣ信号を生成して前記第１のＡＧＣアンプに出力する第１のレベル検波器と、前記デジタルＩＦ信号が入力され、前記所定の帯域幅のロールオフフィルタを有して多値変調された信号の復調を行う復調部と、前記復調される信号が入力され、第２のＡＧＣ信号により利得が調整されて前記入力される復調された信号を増幅して出力する第２のＡＧＣアンプと、前記第２のＡＧＣアンプの出力信号が入力され、符号変換することにより復調ベースバンド信号を生成して出力する符号変換部と、前記復調ベースバンド信号が入力され、前記復調ベースバンド信号から前記第２のＡＧＣ信号を生成して前記第２のＡＧＣアンプに出力する第２のレベル検波器とを具備することを特徴とする。
【００１６】
更にまた、本発明の復調方法は、アンテナから受信する多値変調された信号の電波を周波数変換したＩＦ信号にして復調するデジタル無線受信器の復調方法において、前記デジタル無線受信器は、第１のＡＧＣアンプと、フィルタと、Ａ／Ｄ変換部と、第１のレベル検波器と、復調部と、符号変換部と、第２のＡＧＣ信号アンプと、第２のレベル検波器とを備える復調回路を具備し、前記第１のＡＧＣアンプは前記ＩＦ信号が入力され、第１のＡＧＣ信号により利得が調整されて前記入力されるＩＦ信号を増幅して出力し、前記ＩＦ信号が入力される前記フィルタは、前記入力されるＩＦ信号を所定の帯域幅で通過して出力し、前記フィルタの出力が入力される前記Ａ／Ｄ変換部は、前記フィルタから入力されるＩＦ信号をデジタルＩＦ信号に変換して出力し、前記フィルタの出力のＩＦ信号が入力される前記第１のレベル検波器は、前記フィルタの出力のＩＦ信号のレベルから前記第１のＡＧＣ信号を生成して前記第１のＡＧＣアンプに出力し、前記デジタルＩＦ信号が入力される前記復調部は、内蔵する前記所定の帯域幅のロールオフフィルタを通過して多値変調された前記デジタルＩＦ信号の復調を行い出力し、前記復調された信号が入力される第２のＡＧＣアンプは、前記第２のレベル検波器から入力される第２のＡＧＣ信号により利得が調整されて前記入力される復調された信号を増幅して出力し、前記第２のＡＧＣアンプの出力信号が入力される前記符号変換部は、前記入力された復調信号を符号変換することにより復調ベースバンド信号を生成して出力し、前記復調ベースバンド信号が入力される第２のレベル検波器は、前記復調ベースバンド信号から前記第２のＡＧＣ信号を生成して前記第２のＡＧＣアンプに出力すすることを特徴とする。
【発明の効果】
【００１７】
本発明によれば、隣接するチャネルの干渉波の影響を受けることを防ぎ、希望波を正常に復調するＡＧＣを行う受信器、および復調回路とＡＧＣ方法を提供することができる。
【発明を実施するための最良の形態】
【００１８】
以下、図面を参照して本発明の実施例を説明する。
【実施例】
【００１９】
図１は、本発明の実施例に係るＳＴＬ／ＴＴＬリンクのデジタル無線受信器の機能ブロック図、図２は、本発明の実施例に係るＳＴＬ／ＴＴＬリンクのデジタル無線受信器の復調回路の構成と動作を説明する機能ブロック図である。  
図１において、ＳＴＬ／ＴＴＬリンクのデジタル無線受信器は、アンテナＡ，ＲＦアンプＲ、コンバータＣ、復調回路Ｄを備える。  
アンテナＡが受信した電波はＲＦアンプＲで増幅され、周波数変換を行うコンバータＣにより所要の中間周波数のＩＦ信号に変換され、復調回路Ｄへ出力される。復調回路Ｄは、入力される、例えば、６４ＱＡＭの様な多値変調されたＩＦ信号を復調しベースバンド信号にしてスタジオ機器や、更に別の中継送信器等へ出力する。
【００２０】
以下では、中継送信されるＴＳ信号の電波は、９ＭＨｚ離調し、占有帯域幅が７．６ＭＨｚの場合を例に説明するが、離調周波数、占有帯域幅はこれらの値に限定されるものではない。
【００２１】
図２において、復調回路Ｄは、ＩＦ（中間周波）ＡＧＣアンプ１、所定の帯域幅、例えば、ＳＡＷによる占有帯域幅が７．６ＭＨｚの信号を通過させるフィルタ２、バッファアンプ３、Ａ／Ｄ（アナログ・デジタル変換器、以下Ａ／Ｄと略す。）４、前述の所定の帯域のロールオフフィルタを有して例えば、６４ＱＡＭ復調を行う多値復調部（以下ＤＥＭと称する。）５、符号判定部６、レベル検波器７、ＢＢ（ベースバンド）ＡＧＣアンプ８と、レベル検波器９とを備える。
【００２２】
なお、回路規模を小さく抑えたり回路の動作効率を上げるために、フィルタ２とバッファアンプ３とがＩＦＡＧＣアンプ１に機能的に組み込まれているもの、また、Ａ／Ｄ４がＤＥＭ５に組み込まれているものであっても良いが、ここでは説明の利便上、以上の各構成を独立した機能構成として説明する。
【００２３】
ＩＦＡＧＣアンプ１にはＩＦ（中間周波）信号が入力、増幅され、増幅されたＩＦ信号はフィルタ２とバッファアンプ３とを介してＡ／Ｄ４へ出力される。Ａ／Ｄ４の入力にはレベル検波器９が接続され、レベル検波器９がＩＦ信号から生成する第１のＡＧＣ信号がＩＦＡＧＣアンプ１へフィードバック入力される。
【００２４】
Ａ／Ｄ４から出力されるデジタルＩＦ信号は、ＤＥＭ５へ入力され、デジタル処理によるロールオフフィルタ処理と例えば、６４ＱＡＭ復調された信号が更にＢＢＡＧＣアンプ８を経由して符号判定部６へ出力される。符号判定部６は、入力された復調信号を符号判定して復調ベースバンド信号を生成して出力する。
【００２５】
図３は、復調回路Ｄにおける各部の信号の波形を示す。  
図３（ａ）は、フィルタ２の入力におけるＩＦ信号の希望波Ｄと干渉波Ｕを示す。ここでは、例えば、希望波Ｄは、降雨により減衰する一方、９ＭＨｚ離れた隣接周波数の干渉波Ｄが希望波Ｄよりも大きい振幅で受信されているものとする。
【００２６】
フィルタ２の出力では、帯域幅Ｗ外の干渉波Ｄの信号成分は減少するもののピーク値は、帯域Ｗ内では希望波Ｄのピークよりも高い状態になる（図３（ｂ）参照）。そして、バッファアンプ３の出力はレベル検波器９へ入力される。レベル検波器９は、その入力信号の例えば、ピーク値を検波する。
【００２７】
レベル検波器９は、干渉波Ｕの振幅の方が希望波Ｄの信号よりも大きい場合であってもＡ／Ｄ４へ入力されるＩＦ信号がＡ／Ｄ４が飽和しない為の第１のＡＧＣ信号を生成してＩＦＡＧＣアンプ１へフィードバックする。その結果、図３（ｃ）で示されるようにＡ／Ｄ４の入力では干渉波Ｕの振幅は飽和レベル以下に抑えられる。
【００２８】
そして、Ａ／Ｄ４の出力は、更にＤＥＭ５へ入力され、ＲＯＦ（Ｒｏｌｌ  ｏｆｆ  Ｆｉｌｔｅｒ）により干渉波Ｕの成分が除去された状態で６４ＱＡＭ復調される。復調された信号は、ＢＢＡＧＣアンプ８を介して符号判定部６へ出力される。符号判定部６に入力された信号は、符号判定が行われベースバンド信号に復調されてスタジオ機器等へ出力される。
【００２９】
この復調ベースバンド信号の一部は、レベル検波器７に入力され、レベル検波器７は希望波Ｄから復調されたベースバンド信号の振幅が一定になるように第２のＡＧＣ信号を生成してＢＢＡＧＣアンプ８へ出力する。そしてＢＢＡＧＣアンプ８は、復調ベースバンド信号のピークレベルが一定になるようにＤＥＭ５から入力される信号に対してＡＧＣを行う。
【００３０】
また、希望波Ｄの振幅が干渉波Ｕの振幅よりも大きい場合には、詳細説明は省略するが干渉波Ｄによる誤作動要因はなく、正常に希望波Ｄが復調されることは勿論である。
【００３１】
以上説明した如く、本発明による復調回路Ｄは、第１、第２と２段階のＡＧＣを行うことにより干渉波Ｕの影響を受けることなく信号を適正に復調出来るＡＧＣ処理を行うことが出来る。
【図面の簡単な説明】
【００３２】
【図１】本発明の実施例に係わるＳＴＬ／ＴＴＬリンクのデジタル無線受信器の構成を示す機能ブロック図。
【図２】本発明の実施例に係わるＳＴＬ／ＴＴＬリンクのデジタル無線受信器の復調回路の構成を示す機能ブロック図。
【図３】本発明の実施例の機能回路の各構成における信号の状態を説明する図。
【図４】従来のＳＴＬ／ＴＴＬリンクのデジタル無線受信器の復調回路の構成を示す機能ブロック図。
【図５】従来の復調回路の各構成における信号の状態を説明する図。
【符号の説明】
【００３３】
Ａ  アンテナ
Ｃ  コンバータ
Ｄ  復調回路
Ｒ  ＲＦアンプ
１  ＩＦ（中間周波）ＡＧＣアンプ
２  フィルタ
３  バッファアンプ
４  Ａ／Ｄ（アナログ・デジタル変換器）
５  ＤＥＭ（多値復調部）
６  符号判定部
７、９  レベル検波器
８  ＢＢ（ベースバンド）ＡＧＣアンプ
【図１】
2006229765.tif 000003
【図２】
2006229765.tif 000004
【図３】
2006229765.tif 000005
【図４】
2006229765.tif 000006
【図５】
2006229765.tif 000007